(57)【要約】【課題】引き込み用配管を住宅やマンションに新たに装備することは困難であるため、通信の高速サービスを実現できなかった。【解決手段】既設の引き込み用配管内に布設されている銅線を用いたメタルケーブルを撤去してから、その配管内に銅線と光ファイバを用いた複合ケーブルを布設する。既設の銅線を用いたメタルケーブルを、複合ケーブル引き込み用の牽引手段として利用する。銅線と光ファイバを用いた複合ケーブルの銅線に、引張り張力が加わるように牽引端末具を取り付けた。【選択図】    図１
2004201447.tif 000002
【特許請求の範囲】
【請求項１】
引き込み用配管内に布設されている銅線を用いたメタルケーブルを撤去してから、その配管内に銅線と光ファイバを用いた複合ケーブルを布設することを特徴する複合ケーブルの布設方法。
【請求項２】
既設の銅線を用いたメタルケーブルを複合ケーブル引き込み用の牽引手段として利用することを特徴とする請求項１記載の複合ケーブル布設方法。
【請求項３】
銅線と光ファイバを用いた複合ケーブルの銅線に、引張り張力が加わるように牽引端末具を取り付けたことを特徴とする複合ケーブル。
【発明の詳細な説明】
【０００１】
【発明の属する技術分野】
本発明は銅線と光ファイバを用いた複合ケーブルの布設方法と、それに使用可能な銅線と光ファイバを用いた複合ケーブルに関するものである。
【０００２】
【従来の技術】
建物内にケーブルを設置する場合、設置後にケーブルに外力が加わらないようにするため、建物に装備した配管内にケーブルを布設することが行われてきた。例えば、住宅に電話用の通信ケーブルを設置する場合、図１１のように建物Ａの壁を貫通しているプラスチック製の引き込み用配管Ｈ内に、メタルケーブルＢ（電話線）を引き入れて布設していた。図１１では外からメタルケーブルＫは接続箱Ｊに導入され、室内のメタルケーブルＢは電話機Ｌに接続されている。前記メタルケーブルＢ、Ｋは図９のように銅線（導体）Ｃの外周がプラスチック外被Ｄで被覆されている。
【０００３】
インターネット等の増加により、従来の電話線を用いた低速サービスから、光ファイバを用いた高速サービスが求められるようになった。そのため複数の通信事業者が、加入者宅まで光ファイバを用いた高速サービス（ＦＴＴＨ）を開始するようになった。ＦＴＴＨを実施するためには光ファイバケーブルを加入者宅内まで引き入れる必要がある。しかし、多くの住宅・マンションには光ファイバケーブルを加入者宅へ引き入れるための配管がないため、光ファイバケーブルを布設することが出来ないという問題が生じている。ちなみに、光ファイバケーブルは一例として、図１０のようにテンションメンバＦを挟んでその両側に光ファイバコードＥが配置され、その外側が樹脂製の外被Ｇで被覆されている。
【０００４】
【発明が解決しようとする課題】
光ファイバケーブルを通すための引き込み用配管を住宅やマンションに新たに装備するためには、住宅やマンションの壁を壊したり、それに穴をあけたりする必要があり、時間や費用が多く必要となる。また、マンションのように複数の加入者が居住している建物の場合、壁を壊すこと自体が問題であり、引き込み用配管を新設することは困難である。このような状況にあるため、ＦＴＴＨのサービスを実現することができないという問題が生じている。
【０００５】
【課題を解決するための手段】
本発明は電話線等の布設に使用されている既設の引き込み用配管を利用して、銅線と光ファイバを用いた複合ケーブルを布設する方法と、それに使用可能な複合ケーブルを提供するものである。
【０００６】
本発明の第１の複合ケーブルの布設方法は、引き込み用配管内に布設されている銅線を用いたメタルケーブルを撤去してから、その配管内に銅線と光ファイバを用いた複合ケーブルを布設する方法である。
【０００７】
本発明の第２の複合ケーブルの布設方法は、既設の銅線を用いたメタルケーブルを、複合ケーブル引き込み用の牽引手段として利用する方法である。
【０００８】
本発明の複合ケーブルは、銅線と光ファイバを用いた複合ケーブルの銅線に、引張り張力が加わるように牽引端末具を取り付けたものである。
【０００９】
【発明の実施の形態】
本発明の引き込みケーブルの布設方法の一実施例を図１〜図５に示す。家屋の壁を貫通してに装備されている既設の引き込み用配管Ｈ（図１）内から、それに布設されている銅線を用いたメタルケーブル（例えば電話線）２を引き抜いて撒去して、引き込み用配管Ｈ内を空にする。空になった引き込み用配管Ｈ（図６）内に複合ケーブル５を導入して布設する。複合ケーブル５は図５のようにメタルケーブル（銅線）１と光ファイバコード（光ファイバ）３とが樹脂製の外被４で被覆されて複合化されている。
【００１０】
前記布設において、内径16mmの既設の引き込み用配管Ｈ内に全長25ｍの複合ケーブル５を布設することが可能であった。このときの布設張力は約2.5kg と小さく、複合ケーブル５中の光ファイバ３に損傷を与えるような歪は光ファイバ３に加わらなかった。図２のように引き込み用配管１内に布設された複合ケーブル５の銅線１は接続箱６に引き込まれている電話線７に接続され、光ファイバ３は接続箱６に引き込まれた新設の光ケーブル８に接続される。銅線１は電話機１０（図２）に、光ファイバ３は光終端装置１２（図２）に接続されている。
【００１１】
前記複合ケーブル５には撤去した銅線を用いたメタルケーブル２と同じ機能を持つ銅線１と光ファイバ３を用いた複合ケーブル５を使用することで、既設の銅線を用いたメタルケーブル２に光ファイバケーブルを新規に追加したのと同様の効果が得られる。前記複合ケーブル５の銅線１には、撤去した銅線を用いたメタルケーブル２と異なる性能、機能のものを使用することもできる。
【００１２】
前記複合ケーブル５の牽引に当たっては、図３のように複合ケーブル５の引き込み側端部に牽引手段、例えば、金属ロープ９を連結し、金属ロープ９を牽引することにより複合ケーブル５を既設の引き込み用配管Ｈ内に引き込んで布設することができる。これとは別に、図４のように、既設の引き込み用配管Ｈ内に布設されている銅線を用いたメタルケーブル２を複合ケーブル５を引き込むための牽引手段として利用することもできる。この場合は、既設の銅線を用いたメタルケーブル２の後端部に新規布設用の複合ケーブル５の先端部を連結し、当該銅線を用いたメタルケーブル２を牽引することにより複合ケーブル５を既設の引き込み用配管Ｈ内に引き込んで布設することができる。
【００１３】
複合ケーブル５中の銅線１に牽引端末具を取り付けておき、その牽引端末具に既設の銅線を用いたメタルケーブル２を連結し、既設の銅線を用いたメタルケーブル２を引き抜いて複合ケーブル５を牽引すれば、複合ケーブル５内の銅線１に引張り張力が加わり、複合ケーブル５中の光ファイバ３に損傷を与えるような歪が光ファイバ３に加わることはない。また、牽引端末具により張力分担されるため、複合ケーブル５にはテンションメンバが不要となる。このため複合ケーブル５を細径化することができる。また、引き込み用配管Ｈ内に銅線を用いたメタルケーブル２と光ファイバケーブルとを個別に布設した場合よりも、引き込み用配管Ｈ内に占める複合ケーブル５の断面積が小さくなるため、複合ケーブル５と引き込み用配管Ｈとの摩擦力が減り、牽引が容易にもなる。
【００１４】
実験として、内径16mmの既設の引き込み用配管Ｈ（プラフレキＣＤ：古河電気工業株式会社製ＣＤ−16mm、内径16mm、外径21mm）内の銅線を用いたメタルケーブル２（図８）を撒去せずに、図８のように、引き込み用配管Ｈ内に光ファイバケーブル１５を追加布設した。このとき、通線工具にＪｅｔラインタイガー（マーべル製ＭＷ−７０５０）を使用して図７の布設実験ルートのａ端から挿入したが、最初の曲部までで牽引手段と既設の銅線を用いたメタルケーブル２とが絡まってしまい、引き込み用配管Ｈ内に光ケーブルを導入する（布設する）までに至らなかった。
【００１５】
【発明の効果】
本発明の請求項１の引き込みケーブルの布設方法は、引き込み用配管内の既設の銅線を用いたメタルケーブルを撤去してから、その配管内に複合ケーブルを布設するので、次のような効果がある。
１．既設の引き込み用配管内の銅線を用いたメタルケーブルを搬去することで、既設の引き込み用配管内に複合ケーブルを布設することできるため、光ファイバケーブルを布設するための引き込み用配管を新規に布設しなくとも、光ファイバケーブルを新規に布設したのと同様の効果が得られる。
２．空き配管に、撤去した銅線を用いたメタルケーブルと同じ機能を持つ銅線と光ファイバを用いた複合ケーブルを布設することで、既存のメタルケーブルと光ファイバケーブルとを新規に追加したことと同様の効果が得られる。
【００１６】
本発明の請求項２の引き込みケーブルの布設方法は、既設の銅線を用いたメタルケーブルを引き込み用の牽引手段として用いるので、次のような効果がある。
１．既設の引き込み用配管に複合ケーブルを引き込む時に、複合ケーブルを引き込むための牽引用ワイヤーやロープ等を用意する必要がなく、便利であり、経済的でもある。
２．既設の銅線を用いたメタルケーブルを引き込み用配管から撤去するのと同時に、引き込み用配管内に複合ケーブルを布設することが出来るので、引き込み用の牽引手段を配管内へ布設する作業を省くことができ、作業時間が短縮される。
【００１７】
本発明の請求項３の複合ケーブルは、複合ケーブルの銅線に引張り張力が加わるように牽引端末具を取り付けたので次のような効果がある。
１．複合ケーブル中の銅線がテンションメンバを兼ねるため、ＦＲＰや銅線のテンションメンバが不要となり、ケーブルの細径化が実現でき、配管内への布設が容易になる。
２．引き込み用の配管内に複合ケーブルを布設する場合、牽引端末具に牽引用のロープや既設の銅線を用いたメタルケーブルを係止すれば、布設時に発生する力が複合ケーブル中の光ファイバに加わらないようにすることができ、光ファイバの損傷を防止できる。
３．複合ケーブルへの牽引用のロープや既設の銅線を用いたメタルケーブルの係止が容易になる。
【図面の簡単な説明】
【図１】引き込み配管内から既設の銅線を用いたメタルケーブルを撤去して、配管内を空にした状態の説明図。
【図２】屋外接続箱まで光ケーブルを新設し、配管内及び住宅内に複合ケーブルを新規に布設した状態の説明図。
【図３】牽引手段を用いて複合ケーブルを配管内へ布設する状態の説明図。
【図４】配管内から撒去する既設の銅線を用いたメタルケーブルを牽引手段として利用した場合の牽引説明図。
【図５】テンションメンバを省略して細径化した複合ケーブルの断面図。
【図６】配管内に複合ケーブルを布設された状態の断面図。
【図７】布設実験ルートの説明図。
【図８】銅線を用いたメタルケーブルが布設されている配管内に光ファイバケーブルを追加布設した状態の配管内の断面図。
【図９】銅線を用いたメタルケーブルの断面図。
【図１０】光ファイバケーブルの断面図。
【図１１】住宅に引き込まれた配管内にケーブルが布設されている状態の説明図。
【符号の説明】
１  銅線
２  銅線を用いたメタルケーブル
３  光ファイバ
４  外被
５  複合ケーブル
６  接続箱
７  電話線
Ｈ  引き込み用配管
【図１】
2004201447.tif 000003
【図２】
2004201447.tif 000004
【図３】
2004201447.tif 000005
【図４】
2004201447.tif 000006
【図５】
2004201447.tif 000007
【図６】
2004201447.tif 000008
【図７】
2004201447.tif 000009
【図８】
2004201447.tif 000010
【図９】
2004201447.tif 000011
【図１０】
2004201447.tif 000012
【図１１】
2004201447.tif 000013